(57)【特許請求の範囲】
【請求項１】
活線作業が行われている作業部位を上方から照明するための照明装置であって、
作業部位の上方に配置されたグランドワイヤに第１固定手段を介して取り付けられる棒形状の本体部と、
前記本体部に取り付けられる複数本の棒形状の骨組部材と、を備え、
前記骨組部材は、下面側に前記作業部位を照らす光源を備えることを特徴とする照明装置。
【請求項２】
前記第１固定手段は、前記本体部の両端部にそれぞれ一体形成されたバインド用突起部と、バインドと、を備え、
前記バインド用突起部に前記バインドの巻き始め部分を引っ掛けた後、前記バインドのらせん部分を前記グランドワイヤに巻き付けることで、前記グランドワイヤに前記本体部を取り付けることを特徴とする請求項１に記載の照明装置。
【請求項３】
前記骨組部材は、連結部材を介して前記本体部から両翼に延びる２本の骨組部材が一体成形され、
前記本体部は、上周面に、前記骨組部材の連結部材の形状に合致した切り欠き部を備え、
前記本体部の切り欠き部に前記骨組部材の連結部材を嵌め込んだ後、ボルトで固定することで、前記本体部に前記骨組部材を取り付けることを特徴とする請求項１または請求項２に記載の照明装置。
【請求項４】
前記本体部は、側周面に前記骨組部材の取付側の先端部を嵌合させる嵌合突起部を備え、
前記骨組部材の取付側の先端部を前記嵌合突起部に嵌合させることで、前記本体部に前記骨組部材を取り付けることを特徴とする請求項１または請求項２に記載の照明装置。
【請求項５】
前記骨組部材の連結部材近傍、或いは、前記骨組部材の取付側の先端部近傍に、該骨組部材の傾斜角度を調整する傾斜角度可変機構を備えることを特徴とする請求項３または請求項４に記載の照明装置。
【請求項６】
前記複数本の骨組部材および前記本体部の上面に接して張られ、第２固定手段を介して取り付けられるシート部、を備え、
前記第２固定手段は、前記複数本の骨組部材または前記本体部の上面にそれぞれ一体形成されたシート用突起部と、ピンと、を備え、
前記シート用突起部に、前記シート部の予め開けられている孔を嵌め込んだ後、前記シート用突起部の予め開けられているピン孔に前記ピンを差し込むことで、前記シート部を張ることを特徴とする請求項１乃至請求項５の何れか１項に記載の照明装置。
【請求項７】
作業部位の上方に配置されたグランドワイヤに第１固定手段を介して取り付けられる棒形状の本体部と、
前記本体部に取り付けられ、先端が斜め下方に延びる複数本の棒形状の骨組部材と、を備える照明装置の取付方法であって、
前記本体部の両端部にそれぞれ一体形成されたバインド用突起部に、バインドの巻き始め部分を引っ掛けた後、バインドのらせん部分を前記グランドワイヤに巻き付けて、前記グランドワイヤに前記本体部を取り付ける第１固定工程と、
連結部材を介して前記本体部から両翼に延びる２本の骨組部材を一体成形した連結骨組部材を、前記本体部の上周面の切り欠き部に嵌め込んだ後、ボルトで固定することで、前記本体部に前記骨組部材を取り付ける骨組部材取付工程と、
を備えることを特徴とする照明装置の取付方法。
【請求項８】
作業部位の上方に配置されたグランドワイヤに第１固定手段を介して取り付けられる棒形状の本体部と、
前記本体部に取り付けられ、先端が斜め下方に延びる複数本の棒形状の骨組部材と、を備える照明装置の取付方法であって、
前記本体部の両端部にそれぞれ一体形成されたバインド用突起部に、バインドの巻き始め部分を引っ掛けた後、バインドのらせん部分を前記グランドワイヤに巻き付けて、前記グランドワイヤに前記本体部を取り付ける第１固定工程と、
前記本体部の側周面の嵌合突起部に、前記骨組部材の取付側の先端部を嵌合させて、前記本体部に前記骨組部材を取り付ける骨組部材取付工程と、
を備えることを特徴とする照明装置の取付方法。
【請求項９】
前記照明装置は、前記複数本の骨組部材および前記本体部の上面に接して張られ、第２固定手段を介して取り付けられるシート部を有し、
前記複数本の骨組部材または前記本体部の上面にそれぞれ一体形成されたシート用突起部に、前記シート部の予め開けられている孔を嵌め込んだ後、前記シート用突起部に予め開けられているピン孔にピンを差し込むことで、前記シート部を張る第２固定工程、
を備えることを特徴とする請求項７または請求項８に記載の照明装置の取付方法。
【発明の詳細な説明】
【技術分野】
【０００１】
この発明は、照明装置および照明装置の取付方法に関し、特に、自然光に近い照射角度の照明を実現して、活線作業の作業効率を損なうことなく、作業空間全体で均一な視界の確保を可能とした照明装置および照明装置の取付方法に関する。
【背景技術】
【０００２】
従来、配電線工事の夜間作業においては、発電機を使用した照明装置、車両に搭載されている照明装置、或いは手持ち用ライト・キャップライト等により、作業者の視界を確保している。
【０００３】
ライトによる照射は、日中のような上空からではなく、水平方向や地上からの照射となるため、自身および他の作業者の移動により思いがけず光が遮られ、視界が確保できなくなることがあった。
【０００４】
例えば、特許文献１では、架空線又は棒状部材に着脱自在に固定でき、かつ照明の照射方向が調整可能な作業用照明具が提案されている。この作業用照明具は、架空線を把持するクランプと、クランプに支持されたアームと、アームの先端に固定された照明灯と、を備えた構成が開示されている。
【０００５】
また、特許文献２では、架設される電気設備におけるさまざまな種類の作業に対して、フレキシブルに対応可能な照明器具が提案されている。この照明器具は、架空線を把持するクランプと、クランプに支持されたアームと、アームの先端に固定された照明灯とを備えた構成が開示されている。
【先行技術文献】
【特許文献】
【０００６】
【特許文献１】特開２０１０−２６２７５３号公報
【特許文献２】特開２０１１−１０８５４６号公報
【発明の概要】
【発明が解決しようとする課題】
【０００７】
しかしながら、上記特許文献１および特許文献２に開示された照明装置は、個々の作業者の視界をフレキシブルに確保可能であるが、照射角度が自然光のように上方からの照射ではなく水平方向からの照射であり、作業空間全体で均一な視界を得るには不向きである。そのため、作業空間での不測の状況変化（例えば、電線の急な跳ね上がり等）に対応できず負傷や感電などの作業事故につながるおそれがある。また、作業責任者が柱上作業者の安全を常に監視することが困難である。また、柱上作業者同士の視界が個々に異なるため，作業者間での連携がとりづらく作業効率が低下する。さらに、照明を遮る樹木などがあった場合は，地上や水平方向から照射することが困難である。
【０００８】
そこでこの発明は、自然光に近い照射角度の照明を実現して、活線作業の作業効率を損なうことなく、作業空間全体で均一な視界の確保を可能とした照明装置および照明装置の取付方法を提供することを目的とする。
【課題を解決するための手段】
【０００９】
上記課題を解決するために、請求項１の発明は、活線作業が行われている作業部位を上方から照明するための照明装置であって、作業部位の上方に配置されたグランドワイヤに第１固定手段を介して取り付けられる棒形状の本体部と、前記本体部に取り付けられる複数本の棒形状の骨組部材と、を備え、前記骨組部材は、下面側に前記作業部位を照らす光源を備えることを特徴とする。
【００１０】
請求項２の発明は、請求項１に記載の照明装置において、前記第１固定手段は、前記本体部の両端部にそれぞれ一体形成されたバインド用突起部と、バインドと、を備え、前記バインド用突起部に前記バインドの巻き始め部分を引っ掛けた後、前記バインドのらせん部分を前記グランドワイヤに巻き付けることで、前記グランドワイヤに前記本体部を取り付けることを特徴とする。
【００１１】
請求項３の発明は、請求項１または請求項２に記載の照明装置において、前記骨組部材は、連結部材を介して前記本体部から両翼に延びる２本の骨組部材が一体成形され、前記本体部は、上周面に、前記骨組部材の連結部材の形状に合致した切り欠き部を備え、前記本体部の切り欠き部に前記骨組部材の連結部材を嵌め込んだ後、ボルトで固定することで、前記本体部に前記骨組部材を取り付けることを特徴とする。
【００１２】
請求項４の発明は、請求項１または請求項２に記載の照明装置において、前記本体部は、側周面に前記骨組部材の取付側の先端部を嵌合させる嵌合突起部を備え、前記骨組部材の取付側の先端部を前記嵌合突起部に嵌合させることで、前記本体部に前記骨組部材を取り付けることを特徴とする。
【００１３】
請求項５の発明は、請求項３または請求項４に記載の照明装置において、前記骨組部材の連結部材近傍、或いは、前記骨組部材の取付側の先端部近傍に、該骨組部材の傾斜角度を調整する傾斜角度可変機構を備えることを特徴とする。
【００１４】
請求項６の発明は、請求項１乃至請求項５の何れか１項に記載の照明装置において、前記複数本の骨組部材および前記本体部の上面に接して張られ、第２固定手段を介して取り付けられるシート部、を備え前記第２固定手段は、前記複数本の骨組部材または前記本体部の上面にそれぞれ一体形成されたシート用突起部と、ピンと、を備え、前記シート用突起部に、前記シート部の予め開けられている孔を嵌め込んだ後、前記シート用突起部の予め開けられているピン孔に前記ピンを差し込むことで、前記シート部を張ることを特徴とする。
【００１５】
請求項７の発明は、作業部位の上方に配置されたグランドワイヤに第１固定手段を介して取り付けられる棒形状の本体部と、前記本体部に取り付けられ、先端が斜め下方に延びる複数本の棒形状の骨組部材と、を備える照明装置の取付方法であって、前記本体部の両端部にそれぞれ一体形成されたバインド用突起部に、バインドの巻き始め部分を引っ掛けた後、バインドのらせん部分を前記グランドワイヤに巻き付けて、前記グランドワイヤに前記本体部を取り付ける第１固定工程と、連結部材を介して前記本体部から両翼に延びる２本の骨組部材を一体成形した連結骨組部材を、前記本体部の上周面の切り欠き部に嵌め込んだ後、ボルトで固定することで、前記本体部に前記骨組部材を取り付ける骨組部材取付工程と、を備えることを特徴とする。
【００１６】
請求項８の発明は、作業部位の上方に配置されたグランドワイヤに第１固定手段を介して取り付けられる棒形状の本体部と、前記本体部に取り付けられ、先端が斜め下方に延びる複数本の棒形状の骨組部材と、を備える照明装置の取付方法であって、前記本体部の両端部にそれぞれ一体形成されたバインド用突起部に、バインドの巻き始め部分を引っ掛けた後、バインドのらせん部分を前記グランドワイヤに巻き付けて、前記グランドワイヤに前記本体部を取り付ける第１固定工程と、前記本体部の側周面の嵌合突起部に、前記骨組部材の取付側の先端部を嵌合させて、前記本体部に前記骨組部材を取り付ける骨組部材取付工程と、を備えることを特徴とする。
【００１７】
請求項９の発明は、請求項７または請求項８に記載の照明装置の取付方法において、記照明装置は、前記複数本の骨組部材および前記本体部の上面に接して張られ、第２固定手段を介して取り付けられるシート部を有し、前記複数本の骨組部材または前記本体部の上面にそれぞれ一体形成されたシート用突起部に、前記シート部の予め開けられている孔を嵌め込んだ後、前記シート用突起部に予め開けられているピン孔にピンを差し込むことで、前記シート部を張る第２固定工程、を備えることを特徴とする。
【発明の効果】
【００１８】
請求項１の発明によれば、グランドワイヤに本体部を取り付け、本体部に骨組部材を取り付け、骨組部材の下面側に作業部位を照らす光源を備える構成としたので、自然光に近い照射角度の照明を実現して、活線作業の作業効率を損なうことなく、作業空間全体で均一な視界を確保することができる。その結果として、作業空間での不測の状況変化に日中作業と同様に対応でき負傷や感電などの作業事故を防止することができる。また、作業責任者が柱上作業者の安全を常に監視することが容易となる。また、作業空間全体で均一な視界を確保することができるため，作業者間での連携がとり易く作業効率を向上させることができる。
【００１９】
請求項２の発明によれば、バインド用突起部にバインドの巻き始め部分を引っ掛けた後、バインドのらせん部分をグランドワイヤに巻き付けることで、グランドワイヤに本体部を取り付けるので、比較的簡便な取り付け作業で照明装置を取り付けることができ、風等による照明装置（本体部）のズレや回転を防止することができる。また、天候が不安定で強風（突風）等の気象条件下でも、さらに手巻きバインドにより本体部の固定を補強するようにすれば、照明装置（本体部）をさらに堅固に固定することができる。
【００２０】
請求項３の発明によれば、連結部材を介して本体部から両翼に延びる２本の骨組部材を一体成形し、本体部の切り欠き部に骨組部材の連結部材を嵌め込んだ後、ボルトで固定して本体部に骨組部材を取り付けるので、骨組部材の取付構造がよりシンプルであることから、比較的簡便な取り付け作業で照明装置を設置することができる。
【００２１】
請求項４の発明によれば、骨組部材の取付側の先端部を本体部の嵌合突起部に嵌合させることで、本体部に骨組部材を取り付けるので、骨組部材の取付構造がシンプルであることから、比較的簡便な取り付け作業で照明装置を設置することができる。
【００２２】
請求項５の発明によれば、骨組部材の取付側の先端部近傍、或いは、骨組部材の連結部材近傍に、該骨組部材の傾斜角度を調整する傾斜角度可変機構を備えるので、風速や風の向きなどに応じて、骨組部材の傾斜角度を適正に調整することにより、照明装置のズレや回転を防ぐことができ、強風や降雨に対して活線作業の作業効率を損なうことなく、作業者の安全性を確保することができる。
【００２３】
請求項６の発明によれば、シート用突起部にシート部の予め開けられている孔を嵌め込んだ後、シート用突起部のピン孔にピンを差し込むことで、シート部を張るので、シート部の取付構造がシンプルであることから、比較的簡便な取り付け作業で照明装置を設置することができる。
【００２４】
請求項７の発明によれば、第１固定工程で、本体部の両端部にそれぞれ一体形成されたバインド用突起部に、バインドの巻き始め部分を引っ掛けた後、バインドのらせん部分をグランドワイヤに巻き付けて、グランドワイヤに本体部を取り付け、骨組部材取付工程で、連結部材を介して本体部から両翼に延びる２本の骨組部材を一体成形した連結骨組部材を、本体部の上周面の切り欠き部に嵌め込んだ後、ボルトで固定することで、本体部に骨組部材を取り付けるので、比較的簡便な取り付け作業で照明装置を設置することができる。
【００２５】
請求項８の発明によれば、第１固定工程で、本体部の両端部にそれぞれ一体形成されたバインド用突起部に、バインドの巻き始め部分を引っ掛けた後、バインドのらせん部分をグランドワイヤに巻き付けて、グランドワイヤに本体部を取り付け、骨組部材取付工程で、本体部の側周面の嵌合突起部に骨組部材の取付側の先端部を嵌合させて、本体部に骨組部材を取り付けるので、比較的簡便な取り付け作業で照明装置を設置することができる。
【００２６】
請求項９の発明によれば、第２固定工程で、複数本の骨組部材または本体部の上面にそれぞれ一体形成されたシート用突起部に、シート部の予め開けられている孔を嵌め込んだ後、シート用突起部のピン孔にピンを差し込むことで、シート部を張るので、比較的簡便な取り付け作業で照明装置を設置することができる。
【図面の簡単な説明】
【００２７】
【図１】この発明の実施の形態に係る照明装置の外観を示す、斜め上方からの斜視図である。
【図２】バインドを用いたグランドワイヤへの本体部の取付を説明する説明図である。
【図３】骨組部材の内部構造を例示する説明図である。
【図４】実施の形態の照明装置を設置したときの活線作業の様子を例示する説明図である。
【図５】変形例１における骨組部材の傾斜角度を調整する傾斜角度可変機構を例示する説明図である。
【図６】変形例２における本体部への骨組部材の取付を説明する説明図であり、図６（ａ）は本体部の嵌合突起部の斜視図、図６（ｂ）は骨組部材の取付側の先端部の斜視図である。
【図７】変形例３における骨組部材または本体部の上面へのシート部の貼付を説明する説明図である。
【発明を実施するための形態】
【００２８】
以下、この発明を図示の実施の形態に基づいて説明する。
【００２９】
〔実施の形態〕
図１は、この発明の実施の形態に係る照明装置１の斜め上方からの斜視図である。この照明装置１は、活線作業が行われている作業部位を上方から照明するための照明装置１であって、作業部位の上方に配置されたグランドワイヤ７１に第１固定手段（２１ａ〜２１ｄ，２２ａ〜２２ｄ，６１Ａ，６１Ｂ）を介して取り付けられる棒形状の本体部２と、本体部２に取り付けられ、先端が水平方向に延びる複数本の棒形状の骨組部材３Ａ〜３Ｃと、を備え、骨組部材３Ａ〜３Ｃの下面側に作業部位を照らす光源（３１Ｌ，３１Ｒ）を備えている。
【００３０】
先ず、本体部２は、十分な強度、絶縁性を備えた材料で形成されている。例えば、絶縁性樹脂、カーボングラファイト、カーボンファイバー、グラスファイバー、各種の繊維強化プラスチック等からなる板状部材、或いは、これら各種材料部材を合成した板状部材で具現される。なお、図１では、本体部２の外観形状を、断面形状が略円形の棒状部材としているが、これに限定されることなく断面形状が略多角形の棒状部材としても良い。
【００３１】
本体部２の下周面には、グランドワイヤ７１を挟み込むための凹状の切り欠き部が形成されている。また、本体部２のグランドワイヤ７１延伸方向の両端部には、それぞれバインド用突起部（第１固定手段）２１ａ〜２１ｄおよび２２ａ〜２２ｄが本体部２に一体形成されている。
【００３２】
また、本体部２の上周面には、骨組部材３Ａ〜３Ｃの連結部材の形状に合致した切り欠き部を備えており、本体部２の切り欠き部に骨組部材３Ａ〜３Ｃの連結部材を嵌め込んだ後、ボルト３２で締め付けて固定することで、本体部２に骨組部材３Ａ〜３Ｃが取り付けられる。
【００３３】
次に、図２を参照して、バインド（第１固定手段）６１Ｂ，６２Ｂを用いたグランドワイヤ７１への本体部２の取付について説明ずる。バインドは、電線等に巻き付けることで対象物を電線等に固定するものである。この実施の形態では、バインドによる本体部２のグランドワイヤ７１への固定により、風等による照明装置１（本体部２）のズレや回転を防止する。
【００３４】
バインドには、予め形状が固定されている（太めの）バインドと、固定されていない（細めの）手巻きバインドとがある。一般に、形状固定の太めのバインドは張力のかかっている電線等に巻き付けて固定する場合に使用され、形状非固定の細めの手巻きバインドは張力のかかっていいない電線等に巻き付けて固定する場合に使用される。
【００３５】
図２（ａ）に示すように、本体部２の上側のバインド用突起部（２１ａ，２１ｂおよび）２２ａ，２２ｂにバインドの巻き始め部分を引っ掛けて、らせん部分をグランドワイヤ７１に巻き付けていくバインド（６１Ａおよび）６１Ｂには、形状固定の太めのバインドを使用する。なお、図２（ａ）では、バインド用突起部２２ａを廻ってグランドワイヤ７１に巻き付けていくらせん部分の巻き付け方向と、バインド用突起部２２ｂを廻ってグランドワイヤ７１に巻き付けていくらせん部分の巻き付け方向とが互いに逆になっている。バインド（６１Ａおよび）６１Ｂによる本体部２のグランドワイヤ７１への固定で十分な場合は、この状態でグランドワイヤ７１への本体部２の取付を完了する。
【００３６】
また、天候が不安定で強風（突風）等により、照明装置１（本体部２）をさらに堅固に固定する必要がある状況下では、バインド（６１Ａおよび）６１Ｂにより本体部２を固定した後、図２（ｂ）に示すように、さらに手巻きバインド（第１固定手段）（６２Ａおよび）６２Ｂにより本体部２の固定を補強する。すなわち、本体部２の下側のバインド用突起部（２１ｃ，２１ｄおよび）２２ｃ，２２ｄに手巻きバインド（６２Ａおよび）６２Ｂの巻き始め部分を引っ掛けて、らせん部分をグランドワイヤ７１に巻き付けていく。なお、図２（ｂ）では、バインド６１Ｂの巻き付け方向は互いに同一方向で、手巻きバインド６２Ｂの巻き付け方向は互いに逆方向としている。バインド６１Ｂおよび手巻きバインド６２Ｂの巻き付け方向を共に逆方向としても良い。
【００３７】
次に、複数本の骨組部材３Ａ〜３Ｃは、本体部２と同様に、十分な強度、絶縁性を備えた材料で形成されている。骨組部材３Ａ〜３Ｃは、連結部材を介して本体部２から両翼に水平方向に延びる２本の骨組部材が一体成形されている。図３に、骨組部材３（３Ａ〜３Ｃ）の連結部材近傍の内部構造を例示する。
【００３８】
上述したように、本体部２の上周面には、骨組部材３（３Ａ〜３Ｃ）の連結部材の形状に合致した切り欠き部を備えており、本体部２の切り欠き部に骨組部材３Ａ〜３Ｃの連結部材を嵌め込んだ後、ボルト３２で締め付けて固定することで、本体部２に骨組部材３（３Ａ〜３Ｃ）が取り付けられる。
【００３９】
また、骨組部材３（３Ａ〜３Ｃ）の両翼の翼部の下面側には、当該照明装置１の下方に位置する作業部位を照らすための照明部（光源）３５Ｌを備えている。照明部３５Ｌ内には、複数の発光ダイオード（発光素子）３１ａを備えており、下方に向けて発光するよう内部基板３１ｃ上に配置されている。なお、照明部３５Ｌの外枠は発光ダイオード３１ａによる照明光が透過するよう透光性の素材が用いられている。
【００４０】
また、発光ダイオード３１ａの電源として電池が用いられ、電池収納部３１ｂ内に収納されている。また、翼部の側面には照明部３５Ｌを点灯／消灯するスイッチ３３を備えている。このように、骨組部材３（３Ａ〜３Ｃ）の翼部には回路部品を多く含むため、その外周は防水加工が施されている。
【００４１】
次に、この実施の形態の照明装置１の設置態様について、図４を参照して説明する。図５は、照明装置１を設置したときの活線作業の様子を例示するもので、下から上方を見上げた斜視図である。図中、７１はグランドワイヤ、７２，７３，７４は高圧線、７５は電柱、７６はトランス、８１は共用操作棒である。
【００４２】
照明装置１の取付方法は次の手順で行われる。
（１）第１固定工程；先ず、本体部２をグランドワイヤ７１に沿わせる。そして、本体部２の両端部にそれぞれ一体形成されたバインド用突起部２１ａ，２１ｂおよび２２ａ，２２ｂに、バインド６１Ａ，６１Ｂの巻き始め部分を引っ掛けた後、バインド６１Ａ，６１Ｂのらせん部分をグランドワイヤ７１に巻き付けて、グランドワイヤ７１に本体部２を取り付ける。なお、照明装置１（本体部２）をさらに堅固に固定する必要がある状況下では、さらに手巻きバインド６２Ａおよび６２Ｂにより本体部２の固定を補強する。すなわち、本体部２の下側のバインド用突起部２１ｃ，２１ｄおよび２２ｃ，２２ｄに手巻きバインド６２Ａおよび６２Ｂの巻き始め部分を引っ掛けて、らせん部分をグランドワイヤ７１に巻き付けていく。
（２）骨組部材取付工程；連結部材を介して本体部２から両翼に延びる２本の骨組部材を一体成形した連結骨組部材３Ａ〜３Ｃを、本体部２の上周面の切り欠き部に嵌め込んだ後、ボルト３２で固定することで、本体部２に骨組部材３Ａ〜３Ｃを取り付ける。
【００４３】
以上説明したように、この実施の形態では、グランドワイヤ７１に本体部２を取り付け、本体部２に骨組部材３Ａ〜３Ｃを取り付け、骨組部材３Ａ〜３Ｃの下面側に作業部位を照らす光源（３１Ｌ，３１Ｒ）を備える構成としたので、自然光に近い照射角度の照明を実現して、活線作業の作業効率を損なうことなく、作業空間全体で均一な視界を確保することができる。その結果として、作業空間での不測の状況変化に日中作業と同様に対応でき負傷や感電などの作業事故を防止することができる。また、作業責任者が柱上作業者の安全を常に監視することが容易となる。また、作業空間全体で均一な視界を確保することができるため，作業者間での連携がとり易く作業効率を向上させることができる。
【００４４】
また、この実施の形態では、バインド用突起部２１ａ，２１ｂ，２２ａ，２２ｂにバインド６１Ａ，６１Ｂの巻き始め部分を引っ掛けた後、バインド６１Ａ，６１Ｂのらせん部分をグランドワイヤ７１に巻き付けることで、グランドワイヤ７１に本体部２を取り付けるので、比較的簡便な取り付け作業で照明装置１を取り付けることができ、風等による照明装置１（本体部２）のズレや回転を防止することができる。また、天候が不安定で強風（突風）等の気象条件下でも、さらに手巻きバインドにより本体部の固定を補強するようにすれば、照明装置１（本体部２）をさらに堅固に固定することができる。
【００４５】
また、この実施の形態では、連結部材を介して本体部２から両翼に延びる２本の骨組部材を一体成形し、本体部２の切り欠き部に骨組部材３Ａ〜３Ｃの連結部材を嵌め込んだ後、ボルト３２で固定して本体部２に骨組部材３Ａ〜３Ｃを取り付けるので、骨組部材３Ａ〜３Ｃの取付構造がよりシンプルであることから、比較的簡便な取り付け作業で照明装置１を設置することができる。
【００４６】
また、この実施の形態では、第１固定工程で、本体部２の両端部にそれぞれ一体形成されたバインド用突起部２１ａ，２１ｂ，２２ａ，２２ｂに、バインド６１Ａ，６１Ｂの巻き始め部分を引っ掛けた後、バインド６１Ａ，６１Ｂのらせん部分をグランドワイヤ７１に巻き付けて、グランドワイヤ７１に本体部２を取り付け、骨組部材取付工程で、連結部材を介して本体部２から両翼に延びる２本の骨組部材を一体成形した連結骨組部材を、本体部２の上周面の切り欠き部に嵌め込んだ後、ボルト３２で固定することで、本体部２に骨組部材３Ａ〜３Ｃを取り付けるので、比較的簡便な取り付け作業で照明装置１を設置することができる。
【００４７】
〔変形例１〕
上記実施の形態の骨組部材３Ａ〜４Ｃでは、骨組部材３Ａ〜４Ｃの先端が両翼に延びる傾斜角度は、水平方向であるから零度固定であった。
【００４８】
この変形例１では、図５に示すように、骨組部材４Ａの連結部材４１近傍に、該骨組部材４Ａの傾斜角度を調整する傾斜角度可変機構を備えている。図７は、上記実施の形態の骨組部材３Ａ〜３Ｃの変形例を示し、骨組部材４Ａの傾斜角度を調整する傾斜角度可変機構４２ａ〜４２ｃを例示している。
【００４９】
同図において、傾斜角度可変機構は、調整ネジ４２ａ，４２ｂおよび回転軸４２ｃを備え、調整ネジ４２ａ，４２ｂを緩めることで骨組部材４Ａの翼部４０Ｌの傾斜角度を任意に設定し、設定角度の状態で調整ネジ４２ａ，４２ｂを締め付けることで、骨組部材４Ａの傾斜角度を調整するものである。
【００５０】
この変形例１では、骨組部材（４Ｂ）の取付側の先端部近傍、或いは、骨組部材４Ａ（３Ａ〜３Ｃ）の連結部材近傍に、該骨組部材の傾斜角度を調整する傾斜角度可変機構４２ａ〜４２ｃを備えるので、風速や風の向きなどに応じて、骨組部材の傾斜角度を適正に調整することにより、照明装置１のズレや回転を防ぐことができ、強風や降雨に対して活線作業の作業効率を損なうことなく、作業者の安全性を確保することができる。
【００５１】
例えば、活線作業の作業部位や作業内容などに応じて、骨組部材４Ａの傾斜角度を適正に調整することにより、配電線工事等の夜間作業において作業者の視界を良好な状態で確保することができ、作業事故を防止することができると共に、作業効率を向上させることができる。なお、光源が高い位置に設置されることから、骨組部材４Ａの傾斜角度を多少調整したとしても、作業空間全体としては自然光に近い角度の照明が担保され、作業空間全体での均一な視界の確保も可能である。
【００５２】
〔変形例２〕
上記実施の形態では、連結部材を介して本体部２から両翼に水平方向に延びる２本の骨組部材が一体成形して骨組部材３Ａ〜３Ｃを構成し、本体部２の切り欠き部に骨組部材３Ａ〜３Ｃの連結部材を嵌め込んだ後、ボルト３２で締め付けて固定することで、本体部２への骨組部材３Ａ〜３Ｃの取付を行った。
【００５３】
これに対して、この変形例２では、図６（ａ）に示すように、本体部２の側周面に骨組部材４Ｂの取付側の先端部を嵌合させる嵌合突起部２３を備えた構成とし、図６（ｂ）に示すような骨組部材４Ｂの取付側の先端部を嵌合突起部２３に嵌合させることで、本体部２への骨組部材４Ｂの取付を行う。
【００５４】
まず図６（ａ）において、本体部２は、側周面に骨組部材４Ｂの取付側の先端部を嵌合させる嵌合突起部２３を備えている。嵌合突起部２３は、上面が開口され円筒状に形成されている。嵌合突起部２３の上面には、骨組部材４Ｂの先端部の軸部４６ｃが嵌合する軸穴２３ａが開口されている。また、嵌合突起部２３には、骨組部材４Ｂの先端部の一対のピン４６ａ，４６ｂを回動することにより係合する一対のＴ字状の溝２３ｂが形成されている。
【００５５】
他方、図６（ｂ）において、骨組部材４Ｂの先端部は、軸部４６ｃと、一対のピン４６ａ，４６ｂと、突起４６ｄと、を備えている。軸部４６ｃは、骨組部材４Ｂの軸方向に突出している。一対のピン４６ａ，４６ｂは、相反する向きに軸部４６ｃの外周から軸方向に直交する方向に突出している。突起４６ｄは、軸部４６ｃの先端面から突出するように、骨組部材４Ｂの先端部に内蔵された圧縮コイルばね（不図示）によって付勢されている。
【００５６】
照明装置１の取付方法は、上記実施の形態における照明装置１の取付方法の骨組部材取付工程のみが、次のように置き換えられる。
（２’）骨組部材取付工程；本体部２の側周面の嵌合突起部２３に、骨組部材４Ｂの取付側の先端部を嵌合させて、本体部２に骨組部材４Ｂを取り付ける。
【００５７】
以上のように、この変形例２では、第１固定工程で、本体部２の両端部にそれぞれ一体形成されたバインド用突起部２１ａ，２１ｂ，２２ａ，２２ｂに、バインド６１Ａ，６１Ｂの巻き始め部分を引っ掛けた後、バインド６１Ａ，６１Ｂのらせん部分をグランドワイヤ７１に巻き付けて、グランドワイヤ７１に本体部２を取り付け、骨組部材取付工程で、本体部２の側周面の嵌合突起部２３に骨組部材４Ｂの取付側の先端部を嵌合させて、本体部２に骨組部材４Ｂを取り付けるので、骨組部材４Ｂの取付構造がシンプルであることから、比較的簡便な取り付け作業で照明装置１を設置することができる。
【００５８】
〔変形例３〕
次に、変形例３では、上記実施の形態、変形例１または変形例２において、骨組部材４Ｂおよび本体部２の上面に接してシート部５を張り、照明装置１を防雨具または日除け具として機能するようにしたものである。
【００５９】
骨組部材４Ｂおよび本体部２の上面に接してシート部５を固定するための第２固定手段として、図７に示すように、骨組部材４Ｂ（または本体部２）の上面に一体形成されたシート用突起部４７と、ピン４７ｂと、を備え、シート用突起部４７に、シート部５の予め開けられている孔（５１）を嵌め込んだ後、シート用突起部４７の予め開けられているピン孔４７ａにピン４７ｂを差し込むことで、シート部５を張るようにした。
【００６０】
ここで、シート部５は、一定の強度、弾性、絶縁性を備えた材料で形成されている。例えば、照明装置１を防雨具として機能させる場合には、透光性を持つビニールシートで具現される。また、照明装置１を日除け具として機能させる場合には、シート部５を遮光性を持つ遮光シートで構成する。
【００６１】
図７に示す如く、シート部５には、当該シート部５を骨組部材４Ｂ（および本体部２）の上面に張るために、骨組部材４Ｂのシート用突起部４７に嵌め込むための孔が予め開けられている。なお、孔の周囲には、破損防止のために各種の繊維強化プラスチック等によるリング５１が形成されている。
【００６２】
また、骨組部材４Ｂの個々のシート用突起部４７には、ピン３１ｂが付属されており、落下防止のため、シート用突起部４７の上面の取付部４７ｃとチェーン４７ｄを介して連結されている。シート用突起部４７に、シート部５の孔（リング５１）を嵌め込んだ後、シート用突起部４７の予め開けられているピン孔４７ａにピン４７ｂを差し込むことで、骨組部材４Ｂ（および本体部２）の上面にシート部５が張られ、固定される。
【００６３】
また、照明装置１の取付方法は、上記実施の形態または変形例２における照明装置１の取付方法における（１）第１固定工程および（２）または（２’）骨組部材取付工程に加えて、次の第２固定工程が加えられる。
（３）第２固定工程；骨組部材４Ｂまたは本体部２の上面にそれぞれ一体形成されたシート用突起部４７に、シート部５の予め開けられている孔（リング５１）を嵌め込んだ後、シート用突起部４７に予め開けられているピン孔４７ａにピン４７ｂを差し込むことで、シート部５を張る。
【００６４】
以上のように、この変形例３では、第２固定工程で、複数本の骨組部材４Ｂまたは本体部２の上面にそれぞれ一体形成されたシート用突起部４７に、シート部５の予め開けられている孔（リング５１）を嵌め込んだ後、シート用突起部４７のピン孔４７ａにピン４７ｂを差し込むことで、シート部５を張るので、シート部５の取付構造がシンプルであることから、比較的簡便な取り付け作業で照明装置１を設置することができる。
【００６５】
以上、この発明の実施の形態について説明したが、具体的な構成は、上記の実施の形態および変形例１〜変形例３に限られるものではなく、この発明の要旨を逸脱しない範囲の設計の変更等があっても、この発明に含まれる。
【符号の説明】
【００６６】
１                    照明装置
２                    本体部
３，３Ａ〜３Ｃ，４Ａ，４Ｂ  骨組部材
５                    シート部
２１ａ〜２１ｄ，２２ａ〜２２ｄ  バインド用突起部（第１固定手段）
２３                  嵌合突起部
２３ａ                軸穴
２３ｂ                溝
３２                  ボルト
４０Ｌ，４５          翼部
４１                  連結部材
４２ａ，４２ｂ        調整ネジ（傾斜角度可変機構）
４２ｃ                回転軸（傾斜角度可変機構）
４６ｃ                軸部
４６ｄ                突起
４７                  シート用突起部（第２固定手段）
４７ａ                ピン孔
４７ｂ                ピン（第２固定手段）
４７ｄ                チェーン
４７ａ，４７ｂ        ピン
６１Ｂ，６２Ｂ        バインド（第１固定手段）
７１                  グランドワイヤ
７２，７３，７４      高圧線
７５                  電柱
７６                  トランス
８１                  共用操作棒
【図１】
0006641871.tif 000002
【図２】
0006641871.tif 000003
【図３】
0006641871.tif 000004
【図４】
0006641871.tif 000005
【図５】
0006641871.tif 000006
【図６】
0006641871.tif 000007
【図７】
0006641871.tif 000008